(57)【要約】【課題】本発明は、使用者の皮膚に取り付けて使用することができ、使用者が動くことがない場合であっても、広い範囲で変動磁場を生じさせることができる携帯型の変動磁場磁気治療器を提供することを目的とする。【解決手段】本発明の変動磁場磁気治療器は、使用者の皮膚Ｓに取り付けて使用される携帯型の変動磁場磁気治療器１であって、内部空間２１と、変動磁場磁気治療器１が皮膚Ｓに取り付けられたときに皮膚Ｓに接触する底面２４とを有する容器２と、内部空間２１に回転可能に収容される磁石部３と、底面２４に対して略垂直な方向に延びる回転軸Ｘを中心として、底面２４に対して略平行な面内で磁石部３を回転駆動する回転駆動機構４とを備え、磁石部３が、磁気シールド部と、磁石とを備え、磁気シールド部は、磁石により発生した磁場が容器２の底面２４とは反対側に漏洩するのを遮蔽するように構成されていることを特徴とする。【選択図】図１
2017225615.tif 000002
【特許請求の範囲】
【請求項１】
使用者の皮膚に取り付けて使用される携帯型の変動磁場磁気治療器であって、
内部空間と、前記変動磁場磁気治療器が前記皮膚に取り付けられたときに前記皮膚に接触する底面とを有する容器と、
前記内部空間に回転可能に収容される磁石部と、
前記底面に対して略垂直な方向に延びる回転軸を中心として、前記底面に対して略平行な面内で前記磁石部を回転駆動する回転駆動機構とを備え、
前記磁石部が、
磁気シールド部と、磁石とを備え、
前記磁気シールド部は、前記磁石により発生した磁場が前記容器の前記底面とは反対側に漏洩するのを遮蔽するように構成されていることを特徴とする変動磁場磁気治療器。
【請求項２】
前記磁石部が、それぞれ前記容器の前記底面に対して略垂直に延びる磁極方向を有する複数の磁石を備え、
前記複数の磁石のそれぞれが、前記磁石部の回転方向に沿って互いに離間して配置され、
前記複数の磁石のうち、前記磁石部の回転方向で隣り合う磁石同士が、互いに略反対方向を向く磁極方向を有し、
前記磁石部が、前記磁石部の回転により交番磁界を生成するように構成されていることを特徴とする請求項１記載の変動磁場磁気治療器。
【請求項３】
前記磁石部に設けられた磁石が、前記磁石部の回転方向に沿って延びる略部分環状に形成されていることを特徴とする請求項１または２記載の変動磁場磁気治療器。
【発明の詳細な説明】
【技術分野】
【０００１】
本発明は、変動磁場磁気治療器に関する。より詳細には、使用者の皮膚に取り付けて使用され、変動磁場を生じさせる携帯型の変動磁場磁気治療器に関する。
【背景技術】
【０００２】
従来、使用者の血行を良くし、肩こりや腰痛の症状を緩和するために、磁石が固定された絆創膏等を使用者の皮膚に取り付けて使用する磁気治療器が広く普及している。このような磁気治療器は、コンパクトであるとともに、使用者の皮膚に直接取り付けて使用できるので、使用者は、活動中であるか就寝中であるかの別を問わずいかなる状態でも使用でき、効果的に治療効果を得ることができる。
【０００３】
ところが、このような磁気治療器では、磁石が皮膚に対して特定位置に固定され、磁場が固定（静磁場が形成）されてしまうので、体内の血管や組織に対して大きな刺激を与え、高い磁気治療効果を発揮するために、磁石を大きくして磁力を大きくしなければならないという問題があった。そのような問題に対して、たとえば特許文献１は、保護ケース部内に永久磁石が移動可能に収容された磁気治療器を提案している。特許文献１の磁気治療器は、使用者の皮膚に取り付けられて使用されると、使用者の動きに従って永久磁石が保護ケース部内で移動するので、変動磁場を生じさせ、高い磁気治療効果を発揮することができる。特に、この磁気治療器は、皮膚に平行な面内で永久磁石が移動するように構成されているので、薄く形成できて皮膚に貼付しやすいだけでなく、広い範囲に変動磁場を生じさせることができる。
【先行技術文献】
【特許文献】
【０００４】
【特許文献１】特開２０１１−８３３９４号公報
【発明の概要】
【発明が解決しようとする課題】
【０００５】
しかし、特許文献１の磁気治療器では、使用者が動かない限り永久磁石が移動することがない。たとえば磁気治療器が使用者の就寝時に使用される場合には、使用者が動くことがほとんどないので、永久磁石が移動して変動磁場が発生することがほとんどない。このように使用者が動くことがないような状態で使用される場合には、特許文献１の磁気治療器では十分な磁気治療効果を期待することができない。
【０００６】
本発明は、上記問題に鑑みなされたもので、使用者の皮膚に取り付けて使用することができ、使用者が動くことがない場合であっても、広い範囲で変動磁場を生じさせることができる携帯型の変動磁場磁気治療器を提供することを目的とする。
【課題を解決するための手段】
【０００７】
本発明の変動磁場磁気治療器は、使用者の皮膚に取り付けて使用される携帯型の変動磁場磁気治療器であって、内部空間と、前記変動磁場磁気治療器が前記皮膚に取り付けられたときに前記皮膚に接触する底面とを有する容器と、前記内部空間に回転可能に収容される磁石部と、前記底面に対して略垂直な方向に延びる回転軸を中心として、前記底面に対して略平行な面内で前記磁石部を回転駆動する回転駆動機構とを備え、前記磁石部が、磁気シールド部と、磁石とを備え、前記磁気シールド部は、前記磁石により発生した磁場が前記容器の前記底面とは反対側に漏洩するのを遮蔽するように構成されていることを特徴とする。
【０００８】
また、前記磁石部が、それぞれ前記容器の前記底面に対して略垂直に延びる磁極方向を有する複数の磁石を備え、前記複数の磁石のそれぞれが、前記磁石部の回転方向に沿って互いに離間して配置され、前記複数の磁石のうち、前記磁石部の回転方向で隣り合う磁石同士が、互いに略反対方向を向く磁極方向を有し、前記磁石部が、前記磁石部の回転により交番磁界を生成するように構成されていることが好ましい。
【０００９】
また、前記磁石部に設けられた磁石が、前記磁石部の回転方向に沿って延びる略部分環状に形成されていることが好ましい。
【発明の効果】
【００１０】
本発明によれば、使用者の皮膚に取り付けて使用することができ、使用者が動くことがない場合であっても、広い範囲で変動磁場を生じさせることができる携帯型の変動磁場磁気治療器を提供することができる。
【図面の簡単な説明】
【００１１】
【図１】本発明の一実施形態に係る変動磁場磁気治療器の内部構造を示す側面図である。
【図２】図１の変動磁場磁気治療器の内部構造を示す上面図である。
【図３】図１の変動磁場磁気治療器の内部構造を示す下面図である。
【図４】（ａ）は、図１の変動磁場磁気治療器の磁石部の下面図であり、（ｂ）は、（ａ）のＡ−Ａ線断面図である。
【図５】図１の変動磁場磁気治療器の磁石部により生成する磁束線を模式的に示す図である。
【発明を実施するための形態】
【００１２】
以下、図面を参照して、本発明の一実施形態に係る変動磁場磁気治療器を詳細に説明する。なお、以下の説明の中で、「上側」および「下側」という用語を用いるときは、それぞれ、変動磁場磁気治療器が使用者の皮膚に取り付けられて使用されるときの、皮膚とは反対側が「上側」、皮膚側が「下側」を意味するものとする。
【００１３】
本発明の一実施形態（以下、「本実施形態」という）に係る変動磁場磁気治療器（以下、単に「治療器」という）１は、図１に示されるように、使用者の皮膚Ｓに取り付けて、携帯型として使用される。治療器１は、使用者の皮膚Ｓに取り付けて使用されることにより、使用者の皮膚Ｓ表面および皮膚Ｓ表面近傍の体内に変動磁場を与え、磁気治療効果をもたらす。治療器１は、血行を促進したり、代謝を向上したりするなどの磁気治療効果を利用できるいかなる磁気治療目的にも用いることができる。また、治療器１が取り付けられる位置は、特に限定されることはなく、肩や腰の皮膚など、磁気治療効果を利用できる位置であればいかなる位置であってもよい。
【００１４】
治療器１は、図１に示されるように、内部空間２１と底面２４とを有する容器２と、内部空間２１に回転可能に収容される磁石部３と、底面２４に対して略垂直な方向に延びる回転軸Ｘを中心として、底面２４に対して略平行な面内で磁石部３を回転駆動する回転駆動機構４とを備えている。治療器１は、回転駆動機構４により、底面２４に対して略平行な面内で磁石部３が回転駆動させられることにより、使用者が動くことがない場合であっても、広い範囲で変動磁場を生じさせることができる。
【００１５】
容器２は、図１に示されるように、内部空間２１に磁石部３を回転可能に収容し、治療器１が使用者の皮膚Ｓに取り付けられたときに皮膚Ｓに直接的または間接的に接触する部材である。容器２は、本実施形態では、図１〜図３に示されるように、全体として略円柱状に形成され、内部空間２１を囲繞する、上面２２と、側面２３と、治療器１が皮膚Ｓに取り付けられたときに皮膚Ｓに直接的または間接的に接触する底面２４とを有している。しかし、容器２は、磁石部３を回転可能に収容することができる大きさの内部空間２１を有し、皮膚Ｓに直接的または間接的に接触する底面２４を有していればよく、略角柱状や略円錐状など他の形状であってもよい。
【００１６】
治療器１は、たとえば上側から覆うように設けられた粘着テープや、バンドなどの取付手段により、底面２４が皮膚Ｓに直接的に接触するように、使用者の皮膚Ｓに取り付けることもできるし、たとえば底面２４と皮膚Ｓとの間に粘着シートを設けて、底面２４が皮膚Ｓに間接的に接触するように、使用者の皮膚Ｓに取り付けることもできる。このように、治療器１は、容器２の底面２４が皮膚Ｓに直接的または間接的に接触するように皮膚Ｓに取り付けられればよく、特にその取付方法は限定されないが、後述する磁石部３による磁気治療効果を最大限に発揮するためには、底面２４が皮膚Ｓに直接的に接触するように皮膚Ｓに取り付けられることが好ましい。
【００１７】
容器２の成形材料は、外部から力を受けた時に内部空間２１の形状を維持することができ、磁石部３の生成する磁束線が容易に透過することができる（磁石部３の生成する磁場を遮蔽することのない）材料であればよく、特に限定されることはないが、たとえばアクリロニトリルブタジエンスチレン（ＡＢＳ）、ポリカーボネートアクリロニトリルブタジエンスチレン（ＰＣ−ＡＢＳ）、ポリエチレン（ＰＥ）やポリエチレンテレフタレート（ＰＥＴ）などの合成樹脂材料を好適に用いることができる。特に、磁場の強さは磁石部３から遠ざかると急速に減衰するので、磁石部３は可能な限り皮膚Ｓに近い場所に設けることが好ましく、底面２４はできる限り薄く形成されることが好ましい。
【００１８】
磁石部３は、回転可能に収容された容器２の内部空間２１内において、回転駆動機構４により回転させられることにより、変動磁場を生成する。なお、本明細書では、「変動磁場」という用語は、磁界の向きや強度が変動する磁場のことを意味する。治療器１は、磁石部３が、回転駆動機構４により回転させられて変動磁場を生成することにより、皮膚Ｓ表面および皮膚Ｓ表面近傍の体内の血管や組織に大きな刺激を与えて、高い磁気治療効果を発揮することができる。磁石部３は、容器２の内部空間２１に回転可能に収容され、回転駆動機構４により回転させられて変動磁場を生成することができれば、その構成は特に限定されるものではないが、以下に説明する好適な構成を採用することができる。
【００１９】
図４（ａ）、図４（ｂ）および図５を参照して、本実施形態に係る治療器１の磁石部３を説明する。磁石部３は、磁気シールド部３１と、磁石３２ａ、３２ｂとを備え、磁気シールド部３１は、磁石３２ａ、３２ｂにより発生した磁場が容器２の底面２４とは反対側（図４（ａ）中紙面裏側、図４（ｂ）中上側、図５中上側）に漏洩するのを遮蔽するように構成されている。より具体的には、磁石部３は、図５に示されるように、磁石３２ａ、３２ｂにより発生した磁束線Ｍのうち、容器２の底面２４とは反対側を向く方向、ならびに磁石部３の回転軌道の径方向内側および外側を向く方向の磁束線Ｍの延びる方向が、磁気シールド部３１により、容器２の底面２４側を向く方向に変更させられるように構成されている。したがって、治療器１は、皮膚Ｓとは反対側である上側への、すなわち使用者から離間する方向への磁場漏洩を回避することができる。治療器１は、皮膚Ｓに取り付けられて、携帯用として使用されるので、たとえば、使用者は、治療器１の使用時において、漏洩磁場の影響を受けて破損する可能性がある磁気カードなどを使用しなければならない場面に遭遇する場合がある。そのような場合でも、使用者は、磁気カードの損傷を気にすることなく治療器１を使用することができる。さらに、磁石部３は、容器２の底面２４側以外の方向に磁場が漏洩しないように構成されているので、後述する回転駆動機構４や電子基板６への磁場漏れを防止でき、これらの部分の磁場による誤作動や無駄なエネルギー消費が回避される。また、磁石３２ａ、３２ｂにより発生した磁束線Ｍが、容器２の底面２４側を向く方向に集中的に延びることにより、磁石部３の下側の皮膚Ｓ表面および皮膚Ｓ表面近傍の体内に集中的に磁場を与えることができ、磁石３２ａ、３２ｂを小さく形成しても、より大きな磁気治療効果をもたらすことができる。
【００２０】
磁気シールド部３１は、磁場を遮蔽することができる材料を含み、磁石３２ａ、３２ｂにより発生した磁場が容器２の底面２４とは反対側に漏洩するのを遮蔽する。磁気シールド部３１は、本実施形態では、図４（ａ）および図４（ｂ）に示されるように、磁石部３の回転方向に略垂直な断面が略Ｕ字状で、全体として磁石部３の回転方向に沿って延びる略環状に形成されている。より具体的には、磁気シールド部３１は、略環状の略平板状に形成された磁石保持部３１ａと、磁石保持部３１ａの径方向外側の外周から皮膚Ｓ側（容器２の底面２４側）に延びる外周部３１ｂと、磁石保持部３１ａの径方向内側の内周から皮膚Ｓ側（容器２の底面２４側）に延びる内周部３１ｃとを備えている。磁気シールド部３１は、内周部３１ｃに固定され、シャフトＸ１（図１参照）を挿入可能な孔Ｈが設けられた固定部３４により、シャフトＸ１に相対回転不能に固定される。本実施形態では、磁気シールド部３１の磁石保持部３１ａの皮膚Ｓ側であって、磁気シールド部３１の外周部３１ｂおよび内周部３１ｃの間に磁石３２ａ、３２ｂが設けられて、磁石３２ａ、３２ｂから発生した磁束線Ｍの方向が変更され、磁石３２ａ、３２ｂにより発生する磁場が磁気シールド部３１の上側ならびに径方向外側および内側に漏洩するのを防止している。ただし、磁気シールド部３１は、磁石３２ａ、３２ｂにより発生した磁場が容器２の底面２４とは反対側に（または底面２４側以外の方向に）漏洩するのを遮蔽することができればよく、その形状は、特に限定されることはなく、磁石３２ａ、３２ｂの形状に応じて適宜変更が可能である。
【００２１】
磁気シールド部３１に含まれる、磁場を遮蔽することができる材料としては、特に限定されることはないが、高透磁率材料を用いることができ、たとえばパーマロイ、純鉄、珪素鋼などを用いることができる。その中でも、保磁力に優れたパーマロイが好ましく、より保磁力に優れたＭｏ系パーマロイがより好ましい。
【００２２】
磁石部３は、本実施形態では、図４（ａ）および図４（ｂ）に示されるように、それぞれ容器２の底面２４に対して略垂直に延びる磁極方向を有する複数（本実施形態では、２つ）の磁石３２ａ、３２ｂを備えている。そして、複数の磁石３２ａ、３２ｂのそれぞれが、磁石部３の回転方向に沿って互いに離間して配置され、複数の磁石３２ａ、３２ｂのうち、磁石部３の回転方向で隣り合う磁石３２ａ、３２ｂ同士が、互いに略反対方向を向く磁極方向を有している。本実施形態では、磁石３２ａは、下側がＮ極で、上側がＳ極になるように（磁極方向が上側を向くように）磁化され、磁石３２ｂは、下側がＳ極で、上側がＮ極になるように（磁極方向が下側を向くように）磁化されている。磁石部３は、それぞれが互いに離間して、それぞれが互いに略反対方向を向いた磁極方向を有する複数の磁石３２ａ、３２ｂを備えることにより、磁石部３の回転により交番磁界を生成する。磁石部３は、それぞれの磁極方向が互いに反対方向を向く磁石３２ａ、３２ｂを複数備えることにより、磁石部３を回転した時に皮膚Ｓが受ける磁界強度の変化が、同じ方向を向く磁極方向を有する磁石を複数用いる場合と比べて、ほぼ倍の大きさになり、より大きな交番磁界を生成することができる。さらに、用いる磁石３２ａ、３２ｂの磁極方向が容器２の底面２４（および皮膚Ｓ表面）に対して略垂直に延びることにより、磁極方向が底面２４（および皮膚Ｓ表面）に対して略平行に延びる磁石を用いる場合と比べて、皮膚Ｓ表面に対して略垂直な方向の磁界強度が大きくなり、皮膚Ｓ表面からより深い体内まで磁気が作用することになる。また、磁石３２ａ、３２ｂが、磁石部３の回転方向に沿って互いに離間しているので、磁石部３が回転したときに、皮膚Ｓ表面および皮膚Ｓ表面近傍の血管や内部組織が磁場を感じない時間、すなわち磁場の影響を受けずに弛緩する時間を確保することができる。したがって、皮膚Ｓ表面および皮膚Ｓ表面近傍の血管や内部組織が、交互に弛緩と緊張とをより確実に繰り返すことができるので、治療器１は、皮膚Ｓ表面および皮膚Ｓ表面近傍の血管や内部組織に大きな刺激を与えて、高い磁気治療効果を発揮することができる。
【００２３】
磁石部３の磁石３２ａ、３２ｂは、本実施形態では、磁石部３が回転したときに、皮膚Ｓの同一箇所において、互いに略同一の大きさで、互いに反対方向を向く磁界を生成するように構成されている。磁石３２ａ、３２ｂは、図４（ａ）および図４（ｂ）に示されるように、ともに磁石部３の回転方向に沿って延びる略部分環状に形成され、ともに同じ大きさに形成されている。より詳細には、磁石３２ａ、３２ｂはそれぞれ、磁石部３の回転方向に沿って略１／４周分だけ延び、その内周径が外周径の略半分以上である略部分環状に形成されている。言い換えると、磁石３２ａ、３２ｂは、扇形の径方向内側を取り除いた弧状の帯状に形成され、磁石部３が回転したときに、略環状の軌跡を形成するように配置されている。磁石部３は、磁石３２ａ、３２ｂが略部分環状（帯状）に形成されることにより、同量で扇状に形成された磁石を用いる場合と比べて、直径がより大きくなるように形成することができ、皮膚Ｓ表面近傍のより多くの血管に磁力を作用させることができる。強い磁場を発生させられる希土類磁石は比較的比重が大きいため、治療器１内で使用できる体積が限られるが、本実施形態のように磁石を略部分環状（帯状）に形成することにより、小さい体積でもより多くの血管に磁力を作用させることができ、より大きな磁気治療効果を得ることができる。さらに、磁石部３を軽量化することができるので、磁石部３から回転駆動機構４が受けるトルクを小さくすることができ、回転駆動機構４をよりコンパクトに設計することができる。したがって、治療器１は、より小さくすることができ、皮膚Ｓに取り付け易くなる。
【００２４】
磁石３２ａ、３２ｂは、図４（ａ）および図４（ｂ）に示されるように、２つの磁石３２ａ、３２ｂと略同一の形状および大きさを有する２つの空洞部３３ａ、３３ｂを介して、磁石部３の回転方向で互いに離間して配置されている。このような配置を有する磁石部３が一定の速度で回転すると、磁石３２ａ、空洞部３３ａ、磁石３２ｂおよび空洞部３３ｂの順に（またはその逆順に）磁石部３が皮膚Ｓ表面を通過するので、皮膚Ｓ表面に対して単一の周波数を有する交番磁界が生成する。治療器１は、単一の周波数を有する交番磁界を生成することにより、使用者の皮膚Ｓ表面および皮膚Ｓ表面近傍の体内の組織内に単一の周波数を有する交番磁界を曝すことができるので、組織内の細胞を刺激して、炎症などの細胞機能障害を治癒する効果をもたらすこともできる。
【００２５】
本実施形態における磁石部３では、２つの磁石３２ａ、３２ｂが設けられているが、磁石部３は、上述した単一の周波数を有する交番磁界を生成することができれば、磁石の個数は１つであっても３つ以上であってもよい。このとき、磁石部３は、磁石と略同一形状で同一数の空洞部を有し、磁石と空洞部とが磁石部３の回転方向に沿って交互に配置されることで、磁石部３の回転により単一周波数の交番磁界を生成することができる。
【００２６】
磁石３２ａ、３２ｂの材料としては、特に限定されることはなく、たとえばネオジウム、フェライト、サマリウムコバルト、人工磁性材料などを採用することができる。ただし、その出力レベルは、厚生労働省の認証基準の範囲内であることが望ましい。
【００２７】
再び図１〜図３を参照すると、回転駆動機構４は、底面２４に対して略垂直に延びる回転軸Ｙを中心とした回転駆動力を生成する電動駆動源４１と、回転駆動力を磁石部３に伝達する回転駆動力伝達機構４２とを備えている。そして、電動駆動源４１は、底面２４に対して略平行な面内で磁石部３から離間して設けられている。つまり、電動駆動源４１は、底面２４に対して略垂直な方向に沿って磁石部３と重ならないように配置されている。したがって、電動駆動源４１に磁石が備えられていたとしても、磁石部３から皮膚Ｓ側に生成する変動磁場に電動駆動源４１の磁石が及ぼす影響を小さく抑えることができる。ただし、回転駆動機構４は、容器２の底面２４に対して略平行な面内で磁石部３を回転させることができれば、上述した構成に限定されることはなく、たとえば電動駆動源４１が、底面２４に対して略垂直な方向に沿って磁石部３と重なって配置されて、磁石部３に直接連結されてもよい。
【００２８】
電動駆動源４１は、電源供給部５により駆動される。より詳細には、電動駆動源４１は、図１および図２に示されるように、電源供給部５に電気的に接続された電子基板６に電気的に接続され、電源供給部５から電子基板６を介して電力が供給され、回転軸Ｙを中心とした回転駆動力を生成する。電動駆動源４１は、電動で回転駆動力を生成することができれば、特に限定されることはなく、公知の直流モータなどを用いることができる。
【００２９】
電源供給部５は、本実施形態では、容器２に取り外し不能に固定されている。電源供給部５は、取り換え可能な電池とすることもできるが、容器２に取り外し不能に固定されることにより、子どもが誤って電池を飲み込むなどの事故の発生を抑制することができる。ここで、「取り外し不能」という用語は、容器２から取り外すことができないことを意味するものであるが、それは、通常使用時において取り外すことできないことを意味するものであり、通常使用時以外のたとえば分解修理のために取り外す必要があるときにまで取り外すことができないことをも包含する意味ではない。電源供給部５は、本実施形態では、ＵＳＢ端子７を介して充電可能な二次電池である。したがって、電源供給部５は、容易に充電可能であるので、治療器１を気軽に携帯して持ち運ぶことができる。また、電源供給部５は、繰り返し使用可能であるので、充電式でない電池のように取り換える手間が省ける。
【００３０】
回転駆動力伝達機構４２は、本実施形態では、電動駆動源４１が生成する回転駆動力を磁石部３に伝達する際に、電動駆動源４１の回転数を減速するように構成されている。より詳細には、回転駆動力伝達機構４２は、図１および図２に示されるように、電動駆動源４１から回転軸Ｙに沿って延びるシャフトＹ１に相対回転不能に固定された第１歯車４２ａと、第１歯車４２ａと歯合し、第１歯車４２ａよりも大径で歯数が多く、磁石部３から回転軸Ｘに沿って延びるシャフトＸ１に相対回転不能に固定された第２歯車４２ｂとを備えている。治療器１では、電動駆動源４１が回転駆動力を生成すると、シャフトＹ１および第１歯車４２ａが回転軸Ｙを中心に回転し、それに伴って第１歯車４２ａと歯合する第２歯車４２ｂがシャフトＸ１とともに回転軸Ｘを中心に回転し、シャフトＸ１に相対回転不能に固定された磁石部３が回転軸Ｘを中心に回転する。このとき、第１歯車４２ａの歯数が、第２歯車４２ｂの歯数よりも少ないため、電動駆動源４１の回転数が減速されて磁石部３が回転させられるので、磁石部３をより低速回転で回転させることができる。さらに、磁石部３の重量が大きくなっても、電動駆動源４１が磁石部３から受けるトルクを小さくすることができる。
【００３１】
治療器１はさらに、図１および図２に示されるように、電子基板６に電気的に接続されて、電源供給部５が充電状態にあるときに点灯し、電源供給部５の充電が完了すると消灯するように構成されたＬＥＤランプ８を備えている。したがって、治療器１は、電源供給部５が充電状態にあることや、電源供給部５が充電を完了したかどうかを容易に判別できるので、充電作業が容易となり、使用中に充電切れになるような事態を避けやすくなる。また、治療器１はさらに、電子基板６に電気的に接続され、電動駆動源４１をオン／オフするためのスイッチ９を備えている。治療器１は、使用者がスイッチ９をオン操作することで、磁石部３が回転を開始し、磁気治療効果をもたらす。
【符号の説明】
【００３２】
１  変動磁場磁気治療器
２  容器
２１  内部空間
２２  上面
２３  側面
２４  底面
３  磁石部
３１  磁気シールド部
３１ａ  磁石保持部
３１ｂ  外周部
３１ｃ  内周部
３２ａ、３２ｂ  磁石
３３ａ、３３ｂ  空洞部
３４  固定部
４  回転駆動機構
４１  電動駆動源
４２  回転駆動力伝達機構
４２ａ  第１歯車
４２ｂ  第２歯車
５  電源供給部
６  電子基板
７  ＵＳＢ端子
８  ＬＥＤランプ
９  スイッチ
Ｈ  孔
Ｍ  磁束線
Ｓ  皮膚
Ｘ、Ｙ  回転軸
Ｘ１、Ｙ１  シャフト
【図１】
2017225615.tif 000003
【図２】
2017225615.tif 000004
【図３】
2017225615.tif 000005
【図４】
2017225615.tif 000006
【図５】
2017225615.tif 000007